(57)【要約】  【課題】プールの長辺方向の中間に、上昇位置で確実に支持できる可動壁を設けることができるとともに、安全性の高い可動壁を有するプールを提供すること。  【解決手段】プール床側から水面方向に上下動自在な可動壁体を設け、当該可動壁体を往復動させる駆動装置を設置している。可動壁体は最下降時にプール底部に格納され、かつ、可動壁体が格納された状態では、可動壁体の上面とプール底面とが一体になってプール底部全体が平坦となるよう構成している。駆動装置が可動壁体を支持する位置は可動壁体の重心位置より上方位置となるように設けており、駆動装置は駆動モータとスクリュージャッキとの組合せによって構成している。【選択図】        図２
2013036207.tif 000002
【特許請求の範囲】
【請求項１】
水泳用プール内のプール床側から水面方向に上下動自在な可動壁体を設け、当該可動壁体を下側から支持するとともに、可動壁体を往復動させる駆動装置を設置し、上記可動壁体は最下降時にプール底部に格納され、かつ、可動壁体が格納された状態では、可動壁体の上面とプール底面とが一体になってプール底部全体が平坦となるよう構成し、また上記駆動装置が可動壁体を支持する位置は可動壁体の重心位置より上方位置となるように設けており、さらに当該駆動装置は、駆動モータとスクリュージャッキとの組合せによって構成していることを特徴とする可動壁を有するプール。
【請求項２】
可動壁体は、プールの水深以上の高さに形成し、かつ、プールの長手方向に直交する方向に設けた一対の壁部と、これらの壁部の上部を連結する頂部とからなり、可動壁体を水面側に上昇させた状態であっても、可動壁体の下部はプール底部に設けた格納部側に位置させる構成としているとともに、可動壁体に対してスクリュージャッキを配置する内側部分は、可動壁体の短辺方向に沿う断面形状を下向きコ字状の空間に形成し、この内部の最奥部にスクリュージャッキ駆動部との接続部分を設けている請求項１記載の可動壁を有するプール。
【請求項３】
可動壁体の頂部は平面視長方形に構成し、スクリュージャッキの駆動部を、長手方向の外方寄りで、かつ短辺方向の外方寄りとなる４か所に、頂部の内側の四隅寄り位置となるように配置した請求項１または２記載の可動壁を有するプール。
【発明の詳細な説明】
【技術分野】
【０００１】
この発明は、競泳用等のプールにおいて、コース長を仕切ってその長さを調整可能とする可動壁を具備するプールに関する。
【背景技術】
【０００２】
従来、競技用プールのうち、コース長が５０ｍと長いプールにおいて、コース長をたとえば半分の２５ｍに短縮させることができるプールの要請があった。これは、日本水泳連盟等の公認施設を利用した競泳の公認競技において、コース長５０ｍのプールで行う競技と、短水路と呼ばれる２５ｍプールで行われる競技とがあり、一つのプールで長さを変更させることができるプールが必要であったからである。
【０００３】
このような要請に対応できる従来のプールとしては、たとえば、特許文献１に示すように、可動壁をプール短辺側に配置させておき、プール長を区切る場合にはプール長辺側中央へ移動させることができるよう構成された移動壁を有するプールが開示されている。
さらに、特許文献２に示すように、プールの移動壁は、１０人程度が載っても沈まない程度の浮力を有する可動壁として設けられ、この可動壁を左右に移動させるためのスクリューを具備するプールの可動壁が開示されている。
【特許文献１】特開２０００−１９２６７９号公報
【特許文献２】特開２００４−２７０２８７号公報
【発明の開示】
【発明が解決しようとする課題】
【０００４】
しかしながら、特許文献１の構成のプールでは、プールの短辺側に移動壁の収納部を設けなければならず、この短辺側に必要となるスタート台等の機器を設置するためには、プールの短編側に移動壁があると、スタート台等の設置に制約を受けるものであった。特に、公認競技を行う場合には、必要となるスタート台が装備出来ないという問題点があった。
【０００５】
また、可動壁の移動のためのレールをプール長辺に沿って配置する必要があり、壁面に横長に連続した凹部が生ずることにより、競泳時のプール内の安全面が劣ることとなると共に、上記レールに対する車輪等の移動装置は、可動壁の外側に設けられることとなり、これらの装置が露出していることに対する安全面や体裁面での欠陥があった。
さらに、特許文献２記載のプールでは、比較的簡単な構成の移動装置とすることができるものの、水面に浮かばせて左右に移動させる構成とされているので、可動壁の位置を確実に固定させることができないという欠点があった。このため、この可動壁を具備するプールでは、プール長を確実に設定出来ないことにより、公認施設としての認定を受けることができず、公認競技を行うこと出来ないという欠点もあった。
なお、移動壁がプールの側部に設けられたワイヤーでつり上げられる構成のものであっても、可動壁は確実に固定出来ないため、上記と同様の問題が有り、公認競技を行うことができないという欠点があった。
【０００６】
そこで、この発明の目的は、プールの長辺方向の中間に、プール長を仕切る可動壁体を上昇させた位置で確実に支持した可動壁を設けることができるとともに、安全性の高い視覚性の良い可動壁を有するプールを提供することである。
【課題を解決するための手段】
【０００７】
そこで、これらの目的を達成するため、この発明の可動壁を有するプールでは、プール床側から水面方向に上下動自在な可動壁体を設け、当該可動壁体を下側から支持するとともに、可動壁体を往復動させる駆動装置を設置し、上記可動壁体は最下降時にプール底部に格納され、かつ、可動壁体が格納された状態では、可動壁体の上面とプール底面とが一体になってプール底部全体が平坦となるよう構成し、また上記駆動装置が可動壁体を支持する位置は可動壁体の重心位置より上方位置となるように設けており、さらに当該駆動装置は、駆動モータとスクリュージャッキとの組合せによって構成していることを特徴としている。
【０００８】
また、この発明の請求項２記載の可動壁を有するプールでは、可動壁体は、プールの水深以上の高さに形成し、かつ、プールの長手方向に直交する方向に設けた一対の壁部と、これらの壁部の上部を連結する頂部とからなり、可動壁体を水面側に上昇させた状態で、可動壁体の下部はプール底部に設けた格納部側に位置させる構成としているとともに、可動壁体に対してスクリュージャッキを配置する内側部分は、可動壁体の短辺方向に沿う断面形状を下向きコ字状の空間に形成し、この内部の最奥部にスクリュージャッキ駆動部との接続部分を設けていることを特徴としている。
さらに、この発明の請求項３記載の可動壁を有するプールでは、可動壁体の頂部は平面視長方形に構成し、スクリュージャッキの駆動部を、長手方向の外方寄りで、かつ短辺方向の外方寄りとなる４か所に、頂部の内側の四隅寄り位置となるように配置したことを特徴としている。
【発明の効果】
【０００９】
上記発明の可動壁を有するプールでは、可動壁体は最下降時にプール底部に格納され、かつ、可動壁体が格納された状態では、可動壁体の上面とプール底面とが一体になってプール底部全体が平坦となるように構成しているので、プールの安全性が高まるとともに、競泳者に安全性や視覚性での悪影響を及ぼす虞を解消できる。
また、駆動装置が可動壁体を支持する位置は可動壁体の重心位置より上方位置となるように設けているので、可動壁体を確実に安定良く支持できるとともに、当該駆動装置は駆動モータとスクリュージャッキとの組合せによって構成しているので、スクリュージャッキは土台等に対し確実に固定設置されているものであるから、可動壁体を上昇させた状態であっても、ワイヤー等による駆動装置に比べて固定状態をはるかに確実に維持することができる。
【００１０】
このため、当該可動壁体を上昇させた状態であっても、プール長が変化する虞がないので、公認プールとしての認定を受けることができる。
さらに、請求項２の可動壁を有するプールでは、可動壁体は、プールの水深以上の高さに形成し、かつ、プールの長手方向に直交する方向に設けた一対の壁部と、これらの壁部の上部を連結する頂部とからなり、可動壁体を水面側に上昇させた状態で、可動壁体の下部はプール底部に設けた格納部側に位置させる構成としているので、可動壁体の下部はプール底部の格納部に収容状態のままとなっており、可動壁体の下部を確実に固定させることができるとともに、水面側から底部側までの全体を壁部として構成することができ、可動壁体の下部に空間が生ずることもなく、競泳者に対する安全な構成の可動壁体を提供することができ、安全面、視覚性の優れたプールを提供できる。
また、可動壁体に対してスクリュージャッキを配置する内側部分は、可動壁体の短辺方向に沿う断面形状を下向きコ字状の空間に形成し、この内部の最奥部にスクリュージャッキ駆動部との接続部を設けているので、可動壁体の重心位置より上方位置をスクリュージャッキが支持しているので、可動壁体をより安定良く支持することができる。そして、可動壁体を上下動させる際も、可動壁体が不安定になる虞なく作業を行うことができる。
【００１１】
さらに、駆動装置として駆動モータとスクリュージャッキとから構成しているので、ワイヤー等を用いる従来の構造に比べて、スクリュージャッキで確実に可動壁体を支持することが出来るので、可動壁体が所定の移動方向からずれる虞はなく、可動壁体を確実に上下移動させることができる。
さらに、請求項３記載の可動壁を有するプールにおいては、可動壁体の上部は平面視長方形に構成し、スクリュージャッキの駆動部を、長手方向の外方寄りで、かつ短辺方向の外方寄りとなる４か所に、上部の内側で、四隅寄り位置となるように配置したことにより、可動壁体を安定良く支持する構成のプールが提供できる。
【００１２】
したがって、これらの構成により、可動壁をプールの長手方向の中間部において、可動壁体を上昇させた状態で確実に設置することができるので、日本水泳連盟等の公認施設の認定を受けやすくなるという優れた効果を奏するものである。
【発明を実施するための最良の形態】
【００１３】
次いで、この発明を実施するための最良の形態を図面を参照して説明する。
図１はこの発明の実施態様の可動壁を有するプールの要部を示す概略断面図、図２は要部の概略側断面図、図３は図２の概略平面図、図４は要部の平面図である。
このプールＡは、たとえば競泳用等に用いられるコース長が５０ｍのプールであって、この発明の可動壁１を除くその他の構造は従来のプールと同様のものである。
【００１４】
そして、この発明の可動壁１は、プールＡの長手方向中央の底部に、長手方向に直交する方向に可動壁体２の収容部となる凹所３を平面視長方形に設け、凹所３の短辺側の壁Ｂ側に、可動壁体２を上下動させるための駆動装置４を設けている。
可動壁体２は、周囲の壁となる垂直方向の４面には、概略板状に形成した壁部２１を設け、これら壁部２１の上部を連結する状態に頂部２２を設けている。壁部２１の高さは、プールＡの水深より大きくなるように形成しており、可動壁体２を上昇させた時、頂部２２が水面上に露出した状態でも、壁部２１の下部は凹所３内に位置するよう形成している。この構成により、可動壁体２の縦断面形状は、壁部２１で囲まれた内部に空間を有する構成に形成することができる。特に、駆動装置４のスクリュージャッキ４３を設けた位置においても、可動壁体２の短辺方向の断面形状を下向きコ字状に形成することができる（図１参照）。
【００１５】
凹所３は、上記可動壁体２を下降させた状態で、可動壁体２の全体が収容可能な大きさに形成しているとともに、可動壁体２を収容した状態で、凹所３以外のプールＡの底面Ｃと、可動壁体２の頂部２２とを一体面にすることができ、可動壁体２を使用しないときに、プールＡ底面全体をフラットにしておくことができるように構成している。
このように構成することにより、可動壁体２は最上端まで上昇させた状態であっても、可動壁体２の下部に空間が生ずることはないので、可動壁体２の下部に人が誤って入ってしまうような事故を未然に防止することができる。
【００１６】
駆動装置４は、図２〜図４に示すように、駆動モータ４１と駆動軸４２、スクリュージャッキ４３とより構成している。駆動モータ４１は、可動壁体２の上昇、下降を正確に制御するため、例えばステッピングモータ等の回転制御可能な汎用品を用いて構成することができる。スクリュージャッキ４３は、可動壁体２のコ字状となった内部において、頂部２２の内側の概略四隅位置となる４個所にそれぞれ当接するよう配置している。この当節位置Ｐは、可動壁体２の重心位置から上方位置となることにより、可動壁体２を安定良く支持することができるものである。
【００１７】
スクリュージャッキ４３は、駆動モータ４１からの回転力を駆動軸４２を介してスクリュージャッキ４３の先端が上下動して、可動壁体２を上下動させることができる。これらのスクリュージャッキ４３も汎用品を用いることができる。
駆動軸４２は、１台の駆動モータ４１に対してスクリュージャッキ４３の２台を同時に駆動できるように分配形式を採用している。したがって、駆動モータ４１は、可動壁体２の両側に２台配置することにより、４台のスクリュージャッキ４３を駆動させることができる。
【００１８】
したがって、このように構成することにより、４台のスクリュージャッキ４３によって可動壁体２を安定良く支持することができるものである。
また、可動壁体２の上下動を確実に案内するための構成として、図４の符号５に示すように、プールの壁Ｂ側に垂直方向のＶ字レールを設け、当該Ｖ字レールに案内されて移動するガイドを可動壁体２側に設けておくことができる。このように構成することにより、可動壁体２を上下動させる際、可動壁体２を確実に移動させることができる。このようなＶ字レールおよびガイドは、プールの壁Ｂと可動壁体２の短辺側の壁との間に設けているので、競泳者が居るプール内方へ露出することもなく、安全面を確保した構成とすることができる。
【００１９】
なお、可動壁体２を上昇させた状態で、可動壁体２の位置決め、及び固定するため、図５に示すように、プールの壁Ｂ側に設けた凹部ｂに対して嵌合させる固定部６を設けることができる。
この固定部６は、可動壁体２の上記凹部ｂに嵌合・離反可能な固定端６１を設け、これを操作する操作部６２を設けている。操作部６２は、ハンドル６３とハンドル６３に連接したパンタグラフ式のジャッキ６４と、ジャッキ６４と上記固定端６１とを連結する連結棒６５とからなっている。
【００２０】
これにより、ハンドル６３を回転させて、ジャッキ６４を駆動し、固定端６１を凹部ｂに嵌合させることにより、可動壁体２が上昇した状態を確実に維持することができ、プールのコース長の変動を確実に防止することができる。このため、コース長を短縮させた状態であっても、公認プールとして認定を受けることができるようになる。
【図面の簡単な説明】
【００２１】
【図１】この発明の実施態様の可動壁を有するプールの要部を示す概略断面図である。
【図２】図１の概略側面図である。
【図３】図２の平面図である。
【図４】要部の平面図である。
【図５】固定部の断面図である。
【符号の説明】
【００２２】
１        可動壁
２        可動壁体
３        凹所
４        駆動装置
２１      壁部
２２      頂部
４１      駆動モータ
４３      スクリュージャッキ
【図１】
2013036207.tif 000003
【図２】
2013036207.tif 000004
【図３】
2013036207.tif 000005
【図４】
2013036207.tif 000006
【図５】
2013036207.tif 000007